(57)【要約】 【課題】                  例えば大形会議用テ−ブルの脚の取り付けに好適で、脚を容易かつ速やかに、しかも強固に取り付けられる、テ−ブル等の脚取り付け構造を提供すること。【解決手段】    天板１を支持可能な支持枠２の端部と、脚３の端部とを連結可能な連結ブロック４を設ける。  前記連結ブロック４に支持枠２に係合可能な枠連結部９を設けた、テ−ブル等の脚取り付け構造であること。  前記支持枠２にロック機構Ｍを設ける。  前記ロック機構Ｍと前記枠連結部９とをテンションレバ−１３で連結する。  前記ロック機構Ｍに回動軸２１を回動可能に支持し、該回動軸２１の一端を前記テンションレバ−１３に連係する。  前記テンションレバ−１３を軸方向に変位可能に設ける。  前記枠連結部９を前記支持枠２側へ牽引可能に設ける。【選択図】  図１１
2008022976.tif 000002
【特許請求の範囲】
【請求項１】
天板を支持可能な支持枠の端部と、脚の端部とを連結可能な連結ブロックを設け、該連結ブロックに支持枠に係合可能な枠連結部を設けたテ−ブル等の脚取り付け構造において、前記支持枠にロック機構を設け、該ロック機構と前記枠連結部とをテンションレバ−で連結し、前記ロック機構に回動軸を回動可能に支持し、該回動軸の一端を前記テンションレバ−に連係し、該テンションレバ−を軸方向に変位可能に設け、前記枠連結部を前記支持枠側へ牽引可能に設けたことを特徴とするテ−ブル等の脚取り付け構造。
【請求項２】
前記回動軸の一端にクランクを回動可能に連結し、該クランクに前記テンションレバ−の一端を回動可能に連結した請求項１記載のテ−ブル等の脚取り付け構造。
【請求項３】
前記回動軸の他端に係合部を設け、該係合部に回動可能な操作具を装着可能に設けた請求項１記載のテ−ブル等の脚取り付け構造。
【請求項４】
前記係合部を支持枠の外側に突設した請求項３記載のテ−ブル等の脚取り付け構造。
【請求項５】
前記ロック機構とテンションレバ−とを支持枠の内側に配置した請求項１記載のテ−ブル等の脚取り付け構造。
【請求項６】
前記枠連結部と支持枠の端部に、互いに係合可能な略Ｖ字形の係合部を設けた請求項１記載のテ−ブル等の脚取り付け構造。
【請求項７】
前記枠連結部と支持枠の係合部を係合後、前記テンションレバ−を軸方向へ変位可能に設けた請求項３または請求項６記載のテ−ブル等の脚取り付け構造。
【請求項８】
前記テンションレバ−の軸方向変位を、前記枠連結部と支持枠の係合部の間隔以上に形成可能にした請求項７記載のテ−ブル等の脚取り付け構造。
【請求項９】
前記脚を起立するとともに、前記係合部に操作具を装着し、該操作具を回動変位可能にした請求項１記載のテ−ブル等の脚取り付け構造。
【発明の詳細な説明】
【技術分野】
【０００１】
本発明は、例えば大形会議用テ−ブルの脚の取り付けに好適で、脚を容易かつ速やかに、しかも強固に取り付けられる、テ−ブル等の脚取り付け構造に関する。
【背景技術】
【０００２】
従来、テ−ブル天板の脚取り付け構造として、床面に設置可能な台板と、天板を取り付け可能な天板受座板と、台板上に立設し、上端に天板受座板を載置可能な脚支柱とを備え、台板に形成した突部と、天板受座板に形成した凹部に、それぞれボルト孔を設け、該ボルト孔に長ボルトを挿入し、その上下の螺軸端部にナットをねじ込んで、脚支柱を取り付けるものとがある（例えば、特許文献１参照）。
【０００３】
しかし、前記の構造は、長ボルトの上下の螺軸端部にナットのねじ込み作業を要し、組み立てに手間が掛かるという問題があった。
【０００４】
また、他の脚取り付け構造として、天板を載置可能な支持枠と、該支持枠の両端部に連結し、天板の四隅に配置可能なコ−ナ−ジョイントと、該コ−ナ−ジョイントの端部に装着可能なジョイント軸と、該ジョイント軸の下部に装着可能なスペ−サと、該スペ−サを支持し、前記ジョイント軸を嵌挿可能な支脚とを備え、前記コ−ナ−ジョイントの端部に軸孔またはネジ孔を形成した輪状体を設け、該一組の輪状体を重合配置し、天板を安定して支持するものがある（例えば、特許文献２参照）。
【０００５】
しかし、前記の構造は、部品点数が多く、またジョイント軸のネジ孔へのねじ込み作業を要して、組み立てが煩雑で手間が掛かるという問題があった。
【０００６】
【特許文献１】実開平５−１３３１号公報
【特許文献２】特開平７−１１００１９号公報
【発明の開示】
【発明が解決しようとする課題】
【０００７】
本発明はこのような問題を解決し、例えば大形会議用テ−ブルの脚の取り付けに好適で、脚を容易かつ速やかに、しかも強固に取り付けられる、テ−ブル等の脚取り付け構造を提供することを目的とする。
【課題を解決するための手段】
【０００８】
請求項１の発明は、天板を支持可能な支持枠の端部と、脚の端部とを連結可能な連結ブロックを設け、該連結ブロックに支持枠に係合可能な枠連結部を設けたテ−ブル等の脚取り付け構造において、前記支持枠にロック機構を設け、該ロック機構と前記枠連結部とをテンションレバ−で連結し、前記ロック機構に回動軸を回動可能に支持し、該回動軸の一端を前記テンションレバ−に連係し、該テンションレバ−を軸方向に変位可能に設け、前記枠連結部を前記支持枠側へ牽引可能に設け、前記テンションレバ−の変位を介して、前記枠連結部を前記支持枠側へ牽引し、前記枠連結部と前記支持枠とを強固に連結するようにしている。
【０００９】
請求項２の発明は、前記回動軸の一端にクランクを回動可能に連結し、該クランクに前記テンションレバ−の一端を回動可能に連結し、簡単な構成によって前記回動軸の回動変位をテンションレバ−の軸方向変位に変換可能にしている。
請求項３の発明は、前記回動軸の他端に係合部を設け、該係合部に回動可能な操作具を装着可能に設け、該操作具によって回動軸を容易かつ合理的に回動し得るようにしている
【００１０】
請求項４の発明は、前記係合部を支持枠の外側に突設し、前記操作具を容易に装着し得るようにしている。
請求項５の発明は、前記ロック機構とテンションレバ−とを支持枠の内側に配置し、テ−ブルの使用上の安全性と体裁を向上するようにしている。
請求項６の発明は、前記枠連結部と支持枠の端部に、互いに係合可能な略Ｖ字形の係合部を設け、それらの楔作用によって、前記枠連結部と支持枠を強固に係合し得るようにしている。
【００１１】
請求項７の発明は、前記枠連結部と支持枠の係合部を係合後、前記テンションレバ−を軸方向へ変位可能に設け、該テンションレバ−に引張力を付与して、該引張力によって前記枠連結部と支持枠を強固に係合し得るようにしている。
請求項８の発明は、前記テンションレバ−の軸方向変位を、前記枠連結部と支持枠の係合部の間隔以上に形成可能にし、テンションレバ−を伸長させて引張力を形成させ、前記枠連結部と支持枠を強固に係合し得るようにしている。
請求項９の発明は、前記脚を起立するとともに、前記係合部に操作具を装着し、該操作具を回動変位可能にして、脚の簡単な作業と操作具の簡単な操作によって、脚の組み立てを容易かつ速やかに行えるようにしている。
【発明の効果】
【００１２】
請求項１の発明は、支持枠にロック機構を設け、該ロック機構と前記枠連結部とをテンションレバ−で連結し、前記ロック機構に回動軸を回動可能に支持し、該回動軸の一端を前記テンションレバ−に連係し、該テンションレバ−を軸方向に変位可能に設け、前記枠連結部を前記支持枠側へ牽引可能に設けたから、前記テンションレバ−の変位を介して、前記枠連結部を前記支持枠側へ牽引し、前記枠連結部と前記支持枠とを強固に連結することができる。
【００１３】
請求項２の発明は、前記回動軸の一端にクランクを回動可能に連結し、該クランクに前記テンションレバ−の一端を回動可能に連結したから、簡単な構成によって前記回動軸の回動変位をテンションレバ−の軸方向変位に変換することができる。
請求項３の発明は、前記回動軸の他端に係合部を設け、該係合部に回動可能な操作具を装着可能に設けたから、該操作具によって回動軸を容易かつ合理的に回動することができる。
【００１４】
請求項４の発明は、前記係合部を支持枠の外側に突設したから、前記操作具を容易に装着することができる。
請求項５の発明は、前記ロック機構とテンションレバ−とを支持枠の内側に配置したから、テ−ブルの使用上の安全性と体裁を向上することができる。
請求項６の発明は、前記枠連結部と支持枠の端部に、互いに係合可能な略Ｖ字形の係合部を設けたから、それらの楔作用によって、前記枠連結部と支持枠を強固に係合することができる。
【００１５】
請求項７の発明は、前記枠連結部と支持枠の係合部を係合後、前記テンションレバ−を軸方向へ変位可能に設けたから、該テンションレバ−に引張力を付与して、該引張力によって前記枠連結部と支持枠を強固に係合することができる。
請求項８の発明は、前記テンションレバ−の軸方向変位を、前記枠連結部と支持枠の係合部の間隔以上に形成可能にしたから、テンションレバ−を伸長させて引張力を形成させ、前記枠連結部と支持枠を強固に係合することができる。
【発明を実施するための最良の形態】
【００１６】
以下、本発明を会議用テ−ブルに適用した図示の実施形態について説明すると、図１乃至図１４において１は横長矩形の天板で、その長辺側の両端部の下面に角管状の支持枠２,２がビス止めされ、その両端部に略蒲鉾形管状の脚３の上端部が取り付けられている。
【００１７】
前記脚３の上端部に、アルミニウムダイカスト製の連結ブロック４がボルト５またはビスを介して取り付けられ、該ブロック４は略Ｌ字形に屈曲成形され、その一側に略蒲鉾形断面の脚連結部６が成形され、前記脚３の上端部に嵌合可能にされている。
図中、７は脚連結部６に形成したネジ孔で、前記ボルト５をねじ込み可能にしており、８は前記脚３の上端部に形成した通孔で、前記ボルト５を挿通可能に形成されている。  
【００１８】
前記連結ブロック４の他側に枠連結部９が成形され、該枠連結部９は肉厚の略扇板状に形成されていて、該枠連結部９を後述する工具を介して、支持枠２に引き込みかつ挿入可能にされている。  
前記枠連結部９の基部は、前記支持枠２と略同形の略矩形断面に成形され、その外周部に係止部１０が突設されていて、該係止部１０の前後位置に略Ｖ字形状の係合部１０ａが側方に突設され、該係合部１０ａが支持枠２の端縁に切り欠き形成した、略Ｖ字形状の係合溝１１に係合可能に配置されている。
【００１９】
前記枠連結部９の上側周面は平滑な円弧面９ａに成形され、該円弧面９ａの先端側半部にガイド溝１２が形成され、該ガイド溝１２にテンションレバ−１３の一端が揺動可能に収容されている。
前記枠連結部９の前後面の中央に凹孔１４が形成され、該凹孔１４に軸孔１５が形成されていて、該孔１５に、前記テンションレバ−１３の端部に形成したピン孔１６を貫通して枢軸１７が挿入され、該枢軸１７の螺軸部に化粧ナット３２をねじ込んで、前記レバ−１３の一端を上下方向へ回動可能に連結している。
【００２０】
前記テンションレバ−１３の長さは天板１の長辺の略１／６に形成され、その他端が支持枠２に設けたロック機構Ｍに連係している。前記ロック機構Ｍは、支持枠２の内部に配置した後述のロックプレ−トに設けられ、該機構Ｍは、テンションレバ−１３の他端を連結するピン１８と、該ピン１８を一端に突設したクランク１９と、該クランク１９の他端に突設した回動軸２１とを有している。
【００２１】
前記クランク１９は、テンションレバ−１３よりも非常に短小に形成され、該クランク１９の両端部に透孔を形成し、この一方の透孔にピン１８を挿入して周囲を溶接し、該ピン１８の先端にテンションレバ−１３の止め輪２０を装着している。
また、前記クランク１９の他方の透孔に回動軸２１の一端を挿入して周囲を溶接し、該軸２１をピン１８と反対側に突設し、該軸２１の先端をロックプレ−ト２２を貫通して支持枠２の外側に突出し、該突出端部に係合部２１ａを設けている。
前記ロックプレ−ト２２は略Ｌ字形断面に形成され、該プレ−ト２２をビス２３を介して支持枠２の内側に取り付けている。この場合、ビス２３は図７，８のように１本でも機能上、支障はない。
【００２２】
前記係合部２１ａは角柱状に形成され、該係合部２１ａに操作具２４の係合孔２５若しくは係合溝を係合可能にしていて、前記操作具２４の回動操作を介して、回動軸２１とクランク１９を同期回動させ、これにテンションレバ−１３を同動させて、該レバ−１３をロックプレ−ト２２側へ牽引し、該レバ−１３に連結した枠連結部９を支持枠２内へ引き込み、これをロック可能にしている。
【００２３】
前記テンションレバ−１３の牽引量ないし枠連結部９の引き込み変位は、クランク１９の回動角度によって形成され、脚３を起立後のテンションレバ−１３の牽引前は、図１０のようにクランク１９は回動角度零で略水平状態に置かれ、前記係合部１０ａの先端部は係合溝１１の外側に位置し、その距離はＳ１に設定されている。
【００２４】
一方、クランク１９の回動による前記最大牽引量ないし引き込み変位は、クランク１９が１８０°近く回動したときに形成され、その最大変位Ｓ２は、回動軸２１とクランク１９との軸心間距離の略２倍、すなわちクランク１９の回動半径の略２倍に相当する。
【００２５】
実施形態ではＳ１＜Ｓ２に設定され、その差Ｓ２−Ｓ１の変位分、テンションレバ−１３が軸方向へ引張られ、その引張力の相当分、係合部１０ａが係合溝１１に係合して、強固にロック可能にされ、その係合力を操作具２４のてこ作用によって、回動軸２１、クランク１９、テンションレバ−１３を介し、係合部１０ａと係合溝１１へ作用可能にしている
【００２６】
図中、２６はロックプレ−ト２２に形成したネジ孔で、前記ビス２３をねじ込み可能にされ、２７はロックプレ−ト２２とクランク１９との間に介挿したスペ−サ、２８は支持枠２の両端部に溶接した天板取り付け用のＬ形金具で、ビスを介して天板１を取り付け可能にしている。２９は天板１を収容可能な平坦な作業台である。
この他、３０は支持枠２の側壁に形成した通孔で、前記係合部２１ａを挿入可能にしており、３１は脚３の下端部に取り付けた高さ調節用のアジャスタである。
【００２７】
このように構成した本発明のテ−ブル等の脚取り付け構造は、従来のテ−ブルと略同様な天板１と支持枠２と脚３とを有するから、これらを利用して合理的かつ容易に製作し得る。
一方、本発明は、脚３と支持枠２を連結する連結ブロック４と、支持枠２に設けたロック機構Ｍとを要する。この場合、ロック機構Ｍは支持枠２の内部に限らず、外部に設けることも可能である。
【００２８】
前記連結ブロック４はアルミニウムダイカストによって、脚連結部６と枠連結部９とを一体に成形し、ロック機構Ｍは、Ｌ字形金具製のロックプレ−ト２２と、一端に係合部２１ａを設けた鋼棒製の回動軸２１と、鋼板製のクランク１９と、鋼板製のテンションレバ−１３とで構成する。
【００２９】
前記ロック機構Ｍを支持枠２に組み付ける場合は、先ずロック機構Ｍのアセンブリを製作する。前記アセンブリは、クランク１９の一端の透孔にピン１８を挿入し、その周囲を溶接してピン１８を突設し、該ピン１８の先端にテンションレバ−１３の一端を挿入し、該レバ−１３の外側に止め輪２０を装着する。
また、クランク１９の他端の透孔を、ロックプレ−ト２２の中央の軸孔に位置合わせし、それらの間にスペ−サ２７を介挿後、前記軸孔の外側から回動軸２１を挿入し、その軸端部を前記透孔に挿入し、その周囲を溶接して回動軸２１をピン１８と反対側に突設する
【００３０】
こうして製作したロック機構Ｍのアセンブリは、クランク１９の両端部にピン１８と回動軸２１が互いに反対向きに突設され、ピン１８の先端部にテンションレバ−１３の一端が連結され、回動軸２１がロックプレ−ト２２を貫通して係合部２１ａが外側に突出し、これらが一体的に組み付けられる。
【００３１】
次に、例えばテンションレバ−１３を保持して、前記ロック機構Ｍのアセンブリを支持枠２の一端から内部へ挿入し、その係合部２１ａを支持枠２の内側から通孔３０に挿入して外側へ突出し、その両側のネジ孔２６を支持枠２のビス孔に位置合わせ、これらに支持枠２の外側からビス２３をねじ込み、これを緊締して、ロックプレ−ト２２を支持枠２の内面に固定する。前述と同じ要領で、支持枠２の他側にロック機構Ｍのアセンブリを組み付ける。
こうして左右のロック機構Ｍを組み込んだ支持枠２の両端部には、テンションレバ−１３の先端部が突出している。
【００３２】
そこで、連結ブロック４を用意し、そのガイド溝１２にテンションレバ−１３の先端部を挿入し、枠連結部９の側方から枢軸１７を軸孔１５に挿入し、かつこれをテンションレバ−１３の先端部のピン孔１６に挿入して、その螺軸端部に化粧ナット３２をねじ込んで、テンションレバ−１３の一端を回動可能に連結する。
【００３３】
この後、アジャスタ３１を取り付けた脚３を用意し、該脚３の上端部を連結ブロック４の脚連結部６に差し込み、脚３の外側からボルト５を通孔に挿入し、かつこれをネジ孔７にねじ込んで緊締し、脚３を脚連結部６に固定する。この後、Ｌ形金具２８を介して天板１をビス止めすれば、テ−ブルの組み付けが終了する。
【００３４】
前記組み付けたテ−ブルは、枢軸１７を支点に脚３を内側に折り畳み、該脚３を支持枠２上に平行に配置して梱包し、出荷される。
【００３５】
こうして出荷されたテ−ブルを使用に備えて組み立てる場合は、天板１を作業台２９上に載せて仰向け状に収容する。この状況は図６のようである。
【００３６】
この後、一方の脚３の先端部を保持し、枢軸１７を中心に外側へ略９０°回動して、脚３を起立する。
この状況は図１０のようで、連結ブロック４の枠連結部９の先端部が支持枠２の内部に挿入され、その係合溝１１の外側の近接位置に枢軸１７が位置し、更にその外側位置に係合部１０ａが位置している。
【００３７】
一方、支持枠２の内部のロック機構Ｍは図１０のようで、クランク１９が略水平に位置し、そのピン１８の位置が枢軸１７よりも下方に位置していて、テンションレバ−１３が支持枠２の内側に向かって斜め下向きに配置されている。また、ロック機構Ｍの回動軸２１の係合部２１ａが支持枠２の側方に突出している。
【００３８】
このような状況の下で操作具２４を用意し、その係合孔２５を回動軸２１の係合部２１ａに嵌合して略直立に保持し、これを図１０の矢視方向へ回動する。
このようにすると、係合部２１ａと一緒に回動軸２１が回動し、回動軸２１の他端に固定したクランク１９が回動軸２１を中心に同方向へ回動し、その他端に突設したピン１８が回動軸２１を中心に図１０の仮想線で示す軌跡円に沿って旋回する。
【００３９】
このため、ピン１８に連結されたテンションレバ−１３が支持枠２の内側へ牽引され、
前記レバ−１３の他端に連結された連結ブロック４がこれに同動して支持枠２側へ移動し、その枠連結部９が支持枠２の内部へ引き摺り込まれる。
この場合の枠連結部９の移動変位は、クランク１９の回動変位の水平成分に相当する。
【００４０】
そして、操作具２４が同方向へ略４０°押し回されると、クランク１９が同一角度回動して斜状に位置し、ピン１８に連結されたテンションレバ−１３が支持枠２と略平行状態に置かれ、他端の枢軸１７が係合溝１１の開口部に移動し、枠連結部９が支持枠２内へ更に挿入される。この状況は図１２のようである。
【００４１】
この後、操作具２４が同方向へ更に押し回わされ、原位置から約９０°〜１００°回動すると、クランク１９が起立状態から反対側へ傾倒し始め、クランク１９の回動変位の水平成分が、係合部１０ａと係合溝１１との当初の距離Ｓ１を超えるようになる。
このため、枠連結部９の係合部１０ａが支持枠２の係合溝１１に係合し、連結ブロック４のこれ以上の移動と、枠連結部９の支持枠２内への挿入が阻止される。
【００４２】
この後、テンションレバ−１３の弾性に抗して操作具２４を更に同方向へ押し回わし、原位置より略１４０°回動すると、クランク１９の回動変位の水平成分が前記距離Ｓ１以上に形成され、その分テンションレバ−１３が引張られ伸長変位する。
このため、連結ブロック４がテンションレバ−１３に引張られ、その引張力が係合部１０ａと係合溝１１に作用して、係合部１０ａと係合溝１１とが強力に係合し、枠連結部９が支持枠２内に緊密に係合する。この状況は図１３のようである。
【００４３】
この後、操作具２４を同方向へ更に押し回し、クランク１９を原位置から略１８０°回動すると、クランク１９が略水平状態に置かれ、ロックプレ−ト２２の屈曲片と係合可能に近接して、以降の回動を阻止される一方、クランク１９の回動変位の水平成分が図１３の状態以上に形成され、その分テンションレバ−１３が引張られて伸長変位する。
【００４４】
このため、連結ブロック４がテンションレバ−１３に更に引張られ、その引張力が係合部１０ａと係合溝１１に作用して、係合部１０ａと係合溝１１とが強力に係合し、枠連結部９が支持枠２内に緊密に係合する。この状況は図１４のようである。
【００４５】
こうして、片側の脚３の起立状態が強固にロックされる。前記ロック後、操作具２４の係合孔２５を係合部２１ａから引き抜き、前記脚３のロック作業が終了する。
なお、前記操作具２４は、脚３のロック作業終了後、例えば天板１の裏面に掛け止め、適宜使用可能にして置く。
【００４６】
この後、支持枠２の反対側の脚３を起立し、操作具２４を使用して前述と同様の要領で脚３の起立状態をロックする。以降、反対側の支持枠２の脚３を順次起立し、これをロックすれば、一連の脚３の組み立て作業が終了する。なお、
【００４７】
このように本発明の脚３の組み立て作業は、簡単な操作具２４を用いて回動操作するだけの簡単な作業であるから、従来のように多数のボルトやビスを用いた煩雑な作業や、そのための専用の工具を要することなく、これを容易かつ速やかに行なえる。
【００４８】
こうして組み立てた脚３は、枠連結部９が支持枠２内に係合し、略Ｖ字形状の係合部１０ａと係合溝１１とが楔作用によって緊密かつ強固に係合しており、しかもそれらが
ロック機構Ｍを構成するテンションレバ−１３の引張力を受けて、前記係合力を更に強化しているから、従来のようにボルト締めやビス止めによる連結法に比べて、脚３を強固に組み立てられる。
【産業上の利用可能性】
【００４９】
このように本発明の折り畳みテ−ブルは、天板の回動変位に連動して脚杆を変位させ、テ−ブルの使用時に左右の脚杆を平行に配置し、使用時の安定性と体裁を改善するとともに、椅子の配置スペ−スを充分に確保して快適な使用を図れ、天板の折り畳み時は左右の脚杆を平面略ハ字状に配置し、スタッキングの効率と体裁を向上できるから、例えば会議用テ−ブルに好適である。
【図面の簡単な説明】
【００５０】
【図１】本発明を適用した会議用テ−ブルの使用状態を示す正面図で、支持枠の一部を切り欠いて図示している。
【図２】図１の右側面図である。
【図３】図１のロック機構部分を拡大して示す正面図である。
【図４】本発明に適用した連結ブロックと、脚および支持枠の組み付け状況の要部を拡大して示す斜視図である。
【図５】本発明を適用した会議用テ−ブルの脚の折り畳み状況を示す底面図である。
【００５１】
【図６】本発明を適用した会議用テ−ブルの脚の組み立て前の状況を示す正面図で、脚を折り畳んで作業台上に収容している。
【図７】図５のロック機構部分を拡大して示す底面図である。
【図８】図７の要部を示す横断面図である。
【図９】図８のＡ−Ａ線に沿う断面図である。
【図１０】本発明を適用した会議用テ−ブルの脚の組み立て前の状況を拡大して示す正面図で、脚の起立直後のロック機構の状況を示している。
【００５２】
【図１１】本発明に適用したロック機構と、脚および支持枠の組み付け状況の要部を拡大して示す斜視図である。
【図１２】本発明を適用した会議用テ−ブルの脚の組み立て途中の状況を拡大して示す正面図で、操作具を回動初期のロック機構の状況を示している。
【図１３】本発明を適用した会議用テ−ブルの脚の組み立て途中の状況を拡大して示す正面図で、操作具をロック可能に回動したロック機構の状況を示している。
【００５３】
【図１４】本発明を適用した会議用テ−ブルの脚の組み立て途中の状況を拡大して示す正面図で、操作具によるロック機構のロック終期の状況を示している。
【符号の説明】
【００５４】
１            天板
２            支持枠
３            脚
４            連結ブロック
９            枠連結部
【００５５】
１０ａ          係合部
１１            係合部
１３            テンションレバ−
１９            クランク
２１            回動軸
２１ａ          係合部
２４            操作具
Ｍ            ロック機構
【図１】
2008022976.tif 000003
【図２】
2008022976.tif 000004
【図３】
2008022976.tif 000005
【図４】
2008022976.tif 000006
【図５】
2008022976.tif 000007
【図６】
2008022976.tif 000008
【図７】
2008022976.tif 000009
【図８】
2008022976.tif 000010
【図９】
2008022976.tif 000011
【図１０】
2008022976.tif 000012
【図１１】
2008022976.tif 000013
【図１２】
2008022976.tif 000014
【図１３】
2008022976.tif 000015
【図１４】
2008022976.tif 000016